(57)【特許請求の範囲】
【請求項１】
上部筐体と下部筐体とを２つの異なる方向に回転自在な２軸ヒンジ機構で連結した折畳式携帯無線機であって、
前記上部筐体内に設けられた第１アンテナ素子と、
前記上部筐体を機械的に支持するとともに前記第１アンテナ素子に電気的に接続された第１ヒンジ要素と、
前記第１ヒンジ要素を第１回転軸を中心に回動可能なように機械的に支持するとともに前記第１ヒンジ要素に電気的に接続された第２ヒンジ要素と、
前記第２ヒンジ要素を第２回転軸を中心に回動可能なように機械的に支持するとともに前記第２ヒンジ要素に電気的に接続された第３ヒンジ要素と、
前記下部筐体内に設けられた回路基板から前記第３ヒンジ要素に給電する第１給電部と、
前記第１アンテナ素子の略中央に前記第１ヒンジ要素と前記第１アンテナ素子との両方に電気的に接続された電気的接続部材とを備えた、折畳式携帯無線機。
【請求項２】
前記第１アンテナ素子として前記上部筐体の一部を構成する導電性フレームを用いた、請求項１に記載の折畳式携帯無線機。
【請求項３】
前記下部筐体内に設けられた第２アンテナ素子と、
前記回路基板から前記第２アンテナ素子に給電する第２給電部と、
前記第１給電部又は前記第２給電部のいずれか１つを選択する切替部を更に備えた、請求項１または請求項２に記載の折畳式携帯無線機。
【請求項４】
前記第２ヒンジ要素を前記第２回転軸を中心に回動可能なように機械的に支持するとともに前記第２ヒンジ要素に電気的に接続された第４ヒンジ要素と、
前記第４ヒンジ要素と前記回路基板上のグランドパターンとを電気的に接続する接地部を更に備えた、請求項３に記載の折畳式携帯無線機。
【請求項５】
前記第２ヒンジ要素を前記第２回転軸を中心に回動可能なように機械的に支持するとともに前記第２ヒンジ要素に電気的に接続された第４ヒンジ要素と、
前記第４ヒンジ要素と前記回路基板上のグランドパターンとの間に挿入されたリアクタンス素子を更に備えた、請求項３に記載の折畳式携帯無線機。
【請求項６】
第２アンテナ素子は前記第２回転軸に少なくとも一部が平行に配設された、請求項３から請求項５のいずれか１項に記載の折畳式携帯無線機。
【請求項７】
前記第４ヒンジ要素と前記第３ヒンジ要素が、所定の間隔を隔てて配置された、請求項４または請求項５に記載の折畳式携帯無線機。
【請求項８】
前記上部筐体と前記下部筐体の前記第２回転軸を中心とする開閉状態を検出した結果に応じて前記切替部を制御する開閉検出制御部を更に備え、
前記切替部は筐体の開状態では第１給電部を選択し、閉状態では第２給電部を選択する、請求項３から請求項７のいずれか１項に記載の折畳式携帯無線機。
【請求項９】
携帯無線機の動作状態を検出した結果に応じて前記切替部を制御する動作状態検出制御部を更に備え、
前記動作状態検出制御部は筐体の通話又は通信状態では第１給電部を選択し、待受状態では第２給電部を選択する、請求項３から請求項７のいずれか１項に記載の折畳式携帯無線機。
【発明の詳細な説明】
【技術分野】
【０００１】
本発明は、２軸ヒンジ機構を有する折畳式携帯無線機に内蔵するアンテナに関する。
【背景技術】
【０００２】
折畳式の携帯電話機は、一般に、上部筐体と下部筐体を１つの回転軸を有するヒンジ部で連結して開閉自在な機構を有するものであり、開いて使用する状態（開状態）で閲覧する表示装置を大型化できるといった利便性と、閉じて使用する状態（閉状態）ではコンパクトな形状にすることができるという携帯容易性の２つの利点を有している。
【０００３】
このような従来の１軸ヒンジ機構を有する折畳式の携帯無線機用の筐体のアンテナとしては、例えば、特許文献２に開示されているように、上部筐体の一部を構成する導体をアンテナ素子として利用し、下部筐体から給電線を用いて給電する構成が知られている。
【０００４】
また、図８に示すように、上部筐体の一部を構成する導電性フレーム１をヒンジ金具４４、４６と回転軸４５によって構成される導電性のヒンジ部４７及び板金４８とを介して整合回路２１及び無線回路２３から給電することで、下部筐体に内蔵した回路基板２０のグランドパターンと導電性フレーム１及びヒンジ部４７とをダイポールアンテナとして動作させる構成がある。この構成によれば、上部筐体と下部筐体を開いた状態において高いアンテナ性能が得られる。
【０００５】
一方、上部筐体と下部筐体を連結する機構として、これまでビデオカメラなどに搭載されていた特許文献１に示されるような２つの異なる回転軸を中心に回転可能な２軸ヒンジ機構を用いることで、表示画面の向きを様々な方向に向けて使用することができるという利点がある。
【０００６】
このような２軸ヒンジ機構を有する折畳式の携帯無線機の２軸ヒンジ機構の近傍にカメラを搭載することにより、図９に示すように表示画面７を横長にして表示画面７の全体を使って撮影することができるという利点があり、この状態を一般にムービースタイルという。さらに、使用状態として２軸ヒンジ機構の２つの回転軸によって、図１に示す開いた状態、閉じた状態、及び図７に示すビューア状態にすることができ、ムービースタイルと合わせて４つの使用形態があるものである。
【０００７】
従来の２軸ヒンジ機構を有する折畳式携帯電話機のアンテナとしては、例えば、図１０に示すように、上部筐体を構成している上ケース２にアンテナ素子４０を設け、上ケース２内に設けられたバラン４２及び２軸ヒンジ部４の内部を通る同軸ケーブル４１によって下部筐体を構成している下ケース３内の無線回路２３から給電する構造がある。
【０００８】
また、例えば図１１に示すように、２軸ヒンジ部４近傍の下ケース３内にアンテナ素子４３を設け、下回路基板２０上の無線回路２３から整合回路３１を介してアンテナ素子４３に給電する構造がある。ここで、２軸ヒンジ部４の材質は、携帯電話機の強度及び耐久性を考慮し、鋼鉄などの導電性の金属で構成することが望ましい。
【先行技術文献】
【特許文献】
【０００９】
【特許文献１】特開平１１−２４７８４０号公報
【００１０】
【特許文献２】特開２００２−３３５１８０号公報
【発明の概要】
【発明が解決しようとする課題】
【００１１】
しかしながら、上記従来の図８に示すような１軸ヒンジ機構を有する折畳式の携帯無線機のアンテナでは、２軸構造に対応した様々な使用形態において対応することができない。特に、ムービースタイルにおいては対応できないことが問題であった。
【００１２】
また、上記図１０に示す構成の２軸ヒンジ機構を有する折畳式携帯電話機の筐体の開いた状態及びムービースタイル用のアンテナでは、下筐体内の回路基板から上筐体内に配置されたアンテナ素子に同軸ケーブルなどを用いて給電する必要があり、給電線の長さによるアンテナ性能の劣化が問題であった。また、２軸ヒンジ部に同軸ケーブルを通す必要があり、構造が複雑になり、組み立て性が悪いことが問題であった。
【００１３】
また、上記図１１に示す構成の閉じた状態及びビューア状態用のアンテナとしては、導電性の２軸ヒンジ部４の一部及びアンテナ素子４３の一部が回転軸６に対して平行に、かつ、近接して配置されているため、放射抵抗が低下しアンテナ性能が劣化するという問題があった。
【００１４】
本発明は、上記事情に鑑みてなされたものであり、その目的は、２軸ヒンジ機構を有する携帯無線機の内蔵アンテナにおいて、２軸ヒンジ機構によってもたらされる様々な使用形態において高いアンテナ性能を確保した上で組み立て工数の削減を実現することにある。
【課題を解決するための手段】
【００１５】
上記目的を達成するために、本発明に係る折畳式携帯無線機は、上部筐体と下部筐体とを２つの異なる方向に回転自在な２軸ヒンジ機構で連結した折畳式携帯無線機であって、  前記上部筐体内に設けられた第１アンテナ素子と、前記上部筐体を機械的に支持するとともに前記第１アンテナ素子に電気的に接続された第１ヒンジ要素と、前記第１ヒンジ要素を第１回転軸を中心に回動可能なように機械的に支持するとともに前記第１ヒンジ要素に電気的に接続された第２ヒンジ要素と、前記第２ヒンジ要素を第２回転軸を中心に回動可能なように機械的に支持するとともに前記第２ヒンジ要素に電気的に接続された第３ヒンジ要素と、前記下部筐体内に設けられた回路基板から前記第３ヒンジ要素に給電する第１給電部と、前記第１アンテナ素子の略中央に前記第１ヒンジ要素と前記第１アンテナ素子との両方に電気的に接続された電気的接続部材とを備えるよう構成される。
【００１６】
上記構成によれば、筐体を開いた状態及びムービースタイルにおいて高いアンテナ性能を確保した上で組み立て工数を削減できる。
【００１７】
第１アンテナ素子として上部筐体の一部を構成する導電性フレームを用いるのが好ましい。
【００１８】
上記構成によれば、筐体を開いた状態及びムービースタイルにおいて高いアンテナ性能を確保した上で組み立て工数を削減できる。
【００１９】
また、下部筐体内に設けられた第２アンテナ素子と、回路基板から前記第２アンテナ素子に給電する第２給電部と、第１給電部又は第２給電部のいずれか１つを選択する切替部を更に設けることができる。
【００２０】
上記構成によれば、筐体を開いた状態、筐体を閉じた状態、ムービースタイル及びビューア状態の２軸ヒンジ機構によってもたらされる様々な使用形態の全てにおいて高いアンテナ性能を確保した上で組み立て工数を削減できる。
【００２１】
また、第２ヒンジ要素を第２回転軸を中心に回動可能なように機械的に支持するとともに第２ヒンジ要素に電気的に接続された第４ヒンジ要素と、第４ヒンジ要素と回路基板上のグランドパターンとを電気的に接続する接地部を更に設けることができる。  
【００２２】
上記構成によれば、筐体を開いた状態、筐体を閉じた状態、ムービースタイル及びビューア状態の２軸ヒンジ機構によってもたらされる様々な使用形態の全てにおいて高いアンテナ性能を確保した上で組み立て工数を削減できる。
【００２３】
また、第２ヒンジ要素を第２回転軸を中心に回動可能なように機械的に支持するとともに第２ヒンジ要素に電気的に接続された第４ヒンジ要素と、第４ヒンジ要素と回路基板のグランドパターンとの間にリアクタンス素子を挿入してもよい。
【００２４】
上記構成によれば、筐体を開いた状態、筐体を閉じた状態、ムービースタイル及びビューア状態の２軸ヒンジ機構によってもたらされる様々な使用形態の全てにおいて高いアンテナ性能を確保した上で組み立て工数を削減できる。
【００２５】
また、第２アンテナ素子は前記第２回転軸に少なくとも一部が平行に配設されることが好ましい。
【００２６】
上記構成によれば、筐体を開いた状態、筐体を閉じた状態、ムービースタイル及びビューア状態の２軸ヒンジ機構によってもたらされる様々な使用形態の全てにおいて高いアンテナ性能を確保した上で組み立て工数を削減できる。
【００２７】
また、第４ヒンジ要素と第３ヒンジ要素とを所定の間隔を隔てて配置するよう構成してもよい。
【００２８】
上記構成によれば、筐体を開いた状態、筐体を閉じた状態、ムービースタイル及びビューア状態の２軸ヒンジ機構によってもたらされる様々な使用形態の全てにおいて高いアンテナ性能を確保した上で組み立て工数を削減できる。
【００２９】
また、上部筐体と下部筐体の第２回転軸を中心とする開閉状態を検出した結果に応じて切替部を制御する開閉検出制御部を更に設け、切替部は筐体の開状態では第１給電部を選択し、閉状態では第２給電部を選択するよう構成してもよい。
【００３０】
上記構成によれば、筐体を開いた状態、筐体を閉じた状態、ムービースタイル及びビューア状態の２軸ヒンジ機構によってもたらされる様々な使用形態の全てにおいて高いアンテナ性能を確保した上で組み立て工数を削減できる。
【００３１】
また、携帯無線機の動作状態を検出した結果に応じて切替部を制御する動作状態検出制御部を更に設け、動作状態検出制御部は筐体の通話又は通信状態では第１給電部を選択し、待受状態では第２給電部を選択するよう構成してもよい。
【００３２】
上記構成によれば、筐体を開いた状態、筐体を閉じた状態、ムービースタイル及びビューア状態の２軸ヒンジ機構によってもたらされる様々な使用形態の全てにおいて高いアンテナ性能を確保した上で組み立て工数を削減できる。
【発明の効果】
【００３３】
以上説明したように、本発明によれば、２軸ヒンジ機構によってもたらされる様々な使用形態において高いアンテナ性能を確保でき、かつ、上部筐体内に配置された専用のアンテナ素子に給電する給電線を必要としないため、構成が簡単であり組み立て工数を削減できる。
【図面の簡単な説明】
【００３４】
【図１】第１実施形態に係る折畳式携帯無線機の基本構成図であり、図１（ａ）は背面図、図１（ｂ）は側面図である。
【図２】第１実施形態に係る折畳式携帯無線機の２軸ヒンジ部の拡大斜視図である。
【図３】図１に記載のP−P'線に沿った断面図であり、図３（ａ）は、板金が追加された場合のアンテナ電流の流れる経路を示し、図３（ｂ）は、板金がない場合のアンテナ電流の流れる経路を示す。
【図４】第１実施形態に係る折畳式携帯無線機のムービースタイル背面図である。
【図５】給電位置をカメラの遠方にした場合の折畳式携帯無線機のムービースタイル背面図である。
【図６】第２実施形態に係る折畳式携帯無線機の基本構成図であり、図６（ａ）は背面図、図６（ｂ）は側面図である。
【図７】第２実施形態に係る折畳式携帯無線機のビューア状態の側面図である。
【図８】従来の１軸ヒンジ機構を有する折畳式携帯無線機の背面図である。
【図９】従来の２軸ヒンジ機構を有する折畳式携帯無線機のムービースタイル使用状態の斜視図である。
【図１０】従来の２軸ヒンジ機構を有する折畳式携帯無線機の背面図である。
【図１１】従来の２軸ヒンジ機構を有する折畳式携帯無線機の基本構成図であり、図１１（ａ）は背面図、図１１（ｂ）は側面図である。
【発明を実施するための形態】
【００３５】
以下、本発明に係る実施の形態について、添付図面を参照しながら詳細に説明する。
【００３６】
（第１実施形態）
図１ないし図５は、本発明に係る第１実施形態の折畳式携帯無線機、その要部、使用状態等を示す。
【００３７】
図１ないし図５において、同一の構成要素には同一の符号を付す。これらの図に示すように、本実施形態の折畳式携帯無線機は、上部筐体を構成する上ケース２と下部筐体を構成する下ケース３とが２軸ヒンジ部４で連結された構造となっており、２軸ヒンジ部４の２つの軸である第１回転軸を構成する回転軸５と第２回転軸を構成する回転軸６を中心として回動することにより、開いた状態、閉じた状態、ムービースタイル、ビューア状態の４つの状態を取り得る。ここで、回転軸５の回転角度を図４に示すαように、また、回転軸６の回転角度を図１に示すようにβのように定義する。つまり、図１の状態は、α＝０°かつβ＝１６５°であり、これを開いた状態とする。よって、閉じた状態はα＝０°かつβ＝０°、ムービースタイルはα＝９０°かつβ＝９０°で、ビューア状態はα＝１８０°かつβ＝０°で実現できる。
【００３８】
上ケース２の表示画面７が配置される面には、第１アンテナ素子を構成する金属フレーム１が装着されている。一般に、金属フレーム１には、高い導電性を有し、かつ軽量で強度が高い金属、例えばマグネシウム合金が用いられる。これにより、上部筐体の強度を確保するとともに金属フレーム１がアンテナ素子としても動作する。一般に金属フレーム１の長辺の長さL１は９０ｍｍ程度であり、短辺の長さL４は５０ｍｍ程度である。なお、一般に、金属フレーム１の外装面には化粧用の塗装が施されるが、ここでは説明を省略する。
【００３９】
金属フレーム１と、第１ヒンジ要素を構成するヒンジ金具１０とが、取り付けネジ８によって上ケース２のネジ穴部９に取り付けられることにより、金属フレーム１とヒンジ金具１０とが電気的に接続されるとともに、上ケース２とヒンジ金具１０とが機械的に固定される。
【００４０】
取り付けネジ８は、２つあり、携帯無線機の使用者が回転軸５を中心に上ケース２を回転させる際に加わる力を軽減するために可能な限り離して配置することが望ましく、例えば２つの取り付けネジ８の間隔Wは４５ｍｍである。
【００４１】
ヒンジ金具１０には、電気的接続部材を構成する導電性の板金２４が嵌装されており、板金２４の一端が折り曲げられて構成されたバネ構造と金属フレーム１とがバネ接触することにより、２つの取り付けネジ８の中央部において金属フレーム１とヒンジ金具１０とが電気的に接続される。
【００４２】
ヒンジ金具１０と、第２ヒンジ要素を構成するヒンジ金具１１とが、取り付けネジ１２によって回転軸５を中心に回動可能なように連結される。さらに、ヒンジ金具１１の両側端に、第３ヒンジ要素に該当するヒンジ金具１３、及び、第４ヒンジ要素を構成するヒンジ金具１４とが、取り付けネジ１５によって回転軸６を中心に回動可能なように連結される。
【００４３】
ヒンジ金具１０、ヒンジ金具１１、ヒンジ金具１３、ヒンジ金具１４、取り付けネジ１２及び取り付けネジ１５は導電性の金属で形成されており、それぞれの接触点において電気的に導通するように構成される。これらのヒンジ金具１０、ヒンジ金具１１、ヒンジ金具１３、ヒンジ金具１４、取り付けネジ１２及び取り付けネジ１５によって２軸ヒンジ部４が構成されている。
【００４４】
下ケース３の側端部には、撮像部を構成するカメラ２２が配置されている。カメラ２２は、図９に示されるようにムービースタイルにおいて撮影方向が−Y方向であり、動画像及び静止画像が撮影可能な小型カメラである。また、ムービースタイルにおいては、カメラ２２に携帯無線機の使用者の手や指３７が被さると撮影が不可能になるため、携帯無線機の使用者は特に意識をしなくても手や指をカメラ２２に触れることが少ない。    
【００４５】
ヒンジ金具１３と、第１給電部を構成する給電端子１６とが取り付けネジ１７によって下ケース３のネジ穴部１９に取り付けられることにより、ヒンジ金具１３と給電端子１６とが電気的に接続されるとともに、下ケース３とヒンジ金具１３とが機械的に固定される。
【００４６】
ヒンジ金具１４と、下ケース３とが取り付けネジ１８によって下ケース３のネジ穴部１９に取り付けられることにより、下ケース３とヒンジ金具１４とが機械的に固定される。
【００４７】
給電端子１６は、下ケース３の内部に配置された回路基板２０上の整合回路２１に例えばバネ接触や半田付けにより接続される。整合回路２１は、回路基板２０上の無線回路２３に接続される。回路基板２０は携帯無線機の各種機能を実現する回路部品が実装されたプリント基板であり、そのほぼ全面に回路の設地電位となるグランドパターンが形成されている。
【００４８】
上記のように構成された折畳式携帯無線機において、金属フレーム１と２軸ヒンジ部４とが長さL２（例えば１１０ｍｍ）の上側アンテナ素子として動作し、この上側アンテナ素子のインピーダンスを無線回路２３の入力インピーダンス（一般には５０Ω）に整合する機能を整合回路２１が果たす。また、長さがL３（例えば、９０ｍｍ）である回路基板２０上のグランドパターンが下側アンテナ素子として動作する。すなわち、金属フレーム１及び２軸ヒンジ部４と、回路基板２０とが、開いた状態又はムービースタイルでダイポールアンテナとして動作する。また、２軸ヒンジ部４と回路基板２０上のグランドパターンとの間隔G１を極力離すように（例えば２ｍｍ以上）構成することがアンテナ性能上望ましい。
【００４９】
このようにアンテナが構成された折畳式携帯無線機では、筐体を開いた状態でもムービースタイルでも高いアンテナ性能が得られる。
【００５０】
上記説明したように、本実施形態の折畳式携帯無線機では、従来の１軸ヒンジ機構に対応した構成とは異なり、筐体を開いた状態にしてもムービースタイルにしても高いアンテナ性能を得ることができる。
【００５１】
また、従来の上ケースに配置されたアンテナ素子に同軸ケーブルをヒンジ部に通して給電する構成とは異なり、２軸ヒンジ部４にアンテナの給電機能を持たせている。これにより、給電線を２軸ヒンジ部４に通す組立工数を削減することができる。
【００５２】
なお、本実施形態の折畳式携帯無線機では、板金２４によって２つの取り付けネジ８の中央部において金属フレーム１とヒンジ金具１０とを電気的に接続している。そのため、板金２４がない場合にはアンテナ電流４９の流れる経路が図３（ｂ）のST点のように近接した２点において逆になるが、板金２４を追加することにより図３（ａ）のように同じ向きにすることができ、逆位相によるアンテナ性能の劣化を軽減でき、更に高いアンテナ性能を得ることができる。逆位相によるアンテナ性能の劣化を軽減する手法はこれに限るものではなく、逆位相にならない構成であれば同様の効果を得ることができる。
【００５３】
なお、本実施形態の折畳式携帯無線機では、特にカメラ２２とヒンジ金具１３の位置を限定しておらず、例えば図５に示すような場合においてもある程度のアンテナ性能は確保できる。しかし、図４に示すように、給電端子１６から給電されるヒンジ金具１３をカメラ２２の近傍に配置することにより、ムービースタイルにおいて強いアンテナ電流が流れる給電端子１６とヒンジ金具１３とを携帯無線機の使用者の手や指３７の距離G2が離れるよう構成できるため、人体が近接することによるアンテナ性能の劣化を避けることができるため、更に高いアンテナ性能を得ることができる。人体が近接することによるアンテナ性能の劣化を避ける手法はこれに限るものではなく、使用者の手や指に覆われにくい位置において給電することにより、特定の使用状態において同様の効果を得ることができる。
【００５４】
なお、ヒンジ金具１０とヒンジ金具１１の接続には取り付けネジ１２を用いているが、回転軸５を中心に回動可能な機構と電気的接続を確保できる構造であるならばこれに限るものではない。同様に、ヒンジ金具１３及びヒンジ金具１４の両方とヒンジ金具１１の接続には取り付けネジ１５を用いているが、回転軸６を中心に回動可能な機構と電気的接続を確保できる構造であるならばこれに限るものではない。
【００５５】
なお、板金２４を用いて２つの取り付けネジ８の中央部において金属フレーム１とヒンジ金具１０とを電気的に接続しているが、これに限るものではなく、例えば、２つの取り付けネジ８の中央部において金属フレーム１とヒンジ金具１０とを導電性の取り付けネジを用いて締結しても同様の効果が得られる。
【００５６】
なお、本実施形態の説明に用いている電気的接続には、導電体の金属同士が近接することによって容量結合し、高周波的に接続される場合を含んでいる。例えば、ヒンジ金具１０とヒンジ金具１１との接続に用いられている取り付けネジ１２が絶縁体の非金属であっても、ヒンジ金具１０とヒンジ金具１１との間隔が必要以下であり、それぞれの対向する面積とが必要以上であり十分な容量を得ることができれば同様の効果を得ることができる。
【００５７】
なお、給電端子１６と使用者の手や指３７との間隔G2は、一定以上、例えば５ｍｍ以上にすることがアンテナ性能上望ましい。  
【００５８】
（第２実施形態）
図６及び図７は本発明に係る第２実施形態の折畳式携帯無線機を示す。
【００５９】
図６及び図７において、図１ないし図５に示す符号と同一の符号を付すものは同一の構成要素を示しており、その詳細な説明を省略する。但し、図６及び図７に示す本実施の形態においては、２軸ヒンジ部４の近傍に第２アンテナ素子を配置した点と、開閉検出制御部を設けた点と、開閉検出制御部の検出結果によって動作するアンテナを選択し無線回路２３に接続する給電切替スイッチを設けた点と、ヒンジ金具１４と下回路基板２０のグランドパターンとの間にリアクタンス素子を挿入した点が、図１ないし図５に示す第１実施形態の折畳式携帯無線機と相異する。
【００６０】
図６及び図７に示すように、下ケース３内には第２アンテナ素子を構成する導体板３０が接着されている。
【００６１】
導体板３０は、例えば長さが４５ｍｍで厚さが０．１mmの導電性材料で構成され、その少なくとも一部がヒンジ金具１１と平行になるように配置されている。ここでは、導体板３０及びヒンジ金具１１は回転軸６に平行な部分をそれぞれ有している。導体板３０は、下ケース３の内部に配置された回路基板２０上の整合回路３１に例えばバネ接触や半田付けにより接続される。
【００６２】
２軸ヒンジ部４の構成要素であるヒンジ金具１４は、接続金具３５とリアクタンス素子を構成する回路素子３６とを介して回路基板２０のグランドパターンに接続される。回路素子３６は、誘導性又は容量性リアクタンス、又は０Ωであり、ヒンジ金具１１の回転軸６に対して平行な部分の電気長を調整する役割を果たす。特に、回路素子３６が０Ωである場合には、回路素子３６は接地部に該当する。
【００６３】
整合回路３１は、この導体板３０のインピーダンスを無線回路２３の入力インピーダンス（一般には５０Ω）に整合する機能を果たしている。
【００６４】
整合回路３１又は整合回路２１と無線回路２３とは切替部を構成する高周波スイッチ３２を介して電気的に接続される。高周波スイッチ３２は、整合回路３１又は整合回路２１のいずれか一方と無線回路２３を高周波的に短絡し、他方と無線回路２３を高周波的に開放するよう制御する。高周波スイッチ３２は開閉検出制御部を構成するホール素子３３によって制御される。ホール素子３３は、下ケース３内に配置されている。
【００６５】
ここで、上ケース２には永久磁石３４が内蔵されており、携帯無線機の筐体を閉じた場合又はビューア状態には、永久磁石３４とホール素子３３が近接するが、筐体を開いた場合又はムービースタイルには、永久磁石３４とホール素子３３との間隔が大きくなる。
【００６６】
このとき、ホール素子３３は近傍に磁界がない場合に高周波スイッチ３２を整合回路２１と無線回路２３とを接続するように設定すると、携帯無線機の筐体を開いた状態及びムービースタイルには、ヒンジ部４及び金属フレーム１と回路基板２０がダイポールアンテナとして動作する。この場合、筐体を開いた状態及びムービースタイルにおいて、高いアンテナ利得が得られる。特に音声通話状態及びテレビ電話状態及び i-mode（登録商標）使用時において高いアンテナ性能が確保できる。
【００６７】
また、ホール素子３３は近傍に磁界がある場合に高周波スイッチ３２を整合回路３１と無線回路２３とを接続するように設定すると、携帯無線機の筐体を閉じた状態及び図７に示すビューア状態には、導体板３０に整合回路３１から給電されることになり、導体板３０がモノポールアンテナとして動作する。このとき、導体板３０とヒンジ金具１１との平行部分が電気的に結合し、導体板３０の放射抵抗が下がることによるアンテナ性能の低下を、回路素子３６を調整することにより軽減でき、筐体を閉じた状態及びビューア状態において、高いアンテナ性能が得られる。特に、待受状態における高いアンテナ性能が確保できる。
【００６８】
上記説明したように、本実施形態の折畳携帯無線機では、２軸ヒンジ機構によってもたらされる様々な使用形態の全てにおいて高いアンテナ性能を確保でき、かつ、上部筐体内に配置された専用のアンテナ素子に給電する給電線を必要としないため、構成が簡単であり組み立て工数を削減できる。
【００６９】
また、筐体を閉じた状態及びビューア状態において、アンテナ素子である導体板３０と２軸ヒンジ部４との電気的結合によるアンテナ性能の劣化を、単に２軸ヒンジ部４と回路基板２０のグランドパターンとの間にリアクタンス素子を挿入するという簡単な方法で改善し、待受け状態において高いアンテナ性能を確保できる。
【００７０】
なお、給電端子１６と導体板３０とは電気的に容量結合し易いため、給電端子１６と導体板３０との間隔を一定以上、例えば２ｍｍ以上にすることが望ましい。
【００７１】
また、開閉状態を検出し高周波スイッチ３２を切り換える方法は、ホール素子と永久磁石を用いる方法に限らず、例えば、通話状態や待受状態などの携帯無線機の動作状態に連動して切り換える方法であってもよい。
【００７２】
以上、本発明の各種実施形態を説明したが、本発明は前記実施形態において示された事項に限定されず、特許請求の範囲及び明細書の記載、並びに周知の技術に基づいて、当業者がその変更・応用することも本発明の予定するところであり、保護を求める範囲に含まれる。
【産業上の利用可能性】
【００７３】
以上の述べたように、本発明に係る折畳式携帯無線機によれば、筐体を開いた状態、筐体を閉じた状態、ムービースタイル及びビューア状態の２軸ヒンジ機構によってもたらされる様々な使用形態の全てにおいて高いアンテナ性能を確保した上で組み立て工数を削減が期待できる。
【符号の説明】
【００７４】
１    金属フレーム
２    上ケース
３    下ケース
４    ２軸ヒンジ部
５    回転軸
６    回転軸
７    表示画面
８    取り付けネジ
９    ネジ穴部
１０  ヒンジ金具
１１  ヒンジ金具
１２  取り付けネジ
１３  ヒンジ金具
１４  ヒンジ金具
１５  取り付けネジ
１６  給電端子
１７  取り付けネジ
１８  取り付けネジ
１９  ネジ穴部
２０  回路基板
２１  整合回路
２２  カメラ
２３  無線回路
２４  板金
【図１】
0004444364.tif 000002
【図２】
0004444364.tif 000003
【図３】
0004444364.tif 000004
【図４】
0004444364.tif 000005
【図５】
0004444364.tif 000006
【図６】
0004444364.tif 000007
【図７】
0004444364.tif 000008
【図８】
0004444364.tif 000009
【図９】
0004444364.tif 000010
【図１０】
0004444364.tif 000011
【図１１】
0004444364.tif 000012